(57)【要約】【課題】携帯電話機などにおいて、マナーモードに設定しているときなど、音声通話ができないときにも発着信のうち少なくとも一方ができるようにする。【解決手段】マナーモード設定時に着信した場合は、制御部７の制御プログラムにおいて着信した音声信号を認識して文字データに変換し、表示部１０に表示する。発信する場合は、操作部１１から文字入力して、制御部７の制御プログラムにおいて文字データを合成音声に変換して音声信号として相手話者に発信する。【選択図】図１
2008244508.tif 000002
【特許請求の範囲】
【請求項１】
無線により少なくとも音声通話が可能な移動体通信端末において、
無線により送信されてきた音声情報を受信する受信手段と、
前記受信手段が受信した前記音声情報を文字情報に変換する音声認識手段と、
前記音声認識手段が変換した前記文字情報を表示する表示手段と、を備えたことを特徴とする移動体通信端末。
【請求項２】
着信音の鳴動を規制する状態に設定するマナーモード設定手段を備え、
前記マナーモード設定手段が着信音の鳴動を規制する状態に設定したときに、前記受信手段が受信した音声情報を前記音声認識手段が文字情報に変換し、前記表示手段が表示することを特徴とする請求項１記載の移動体通信端末。
【請求項３】
無線により少なくとも音声通話が可能な移動体通信端末において、
発信する情報を入力する文字入力手段と、
前記文字入力手段から入力した文字情報を音声情報に変換する音声変換手段と、
前記音声情報を無線により送信する送信手段と、を備えたことを特徴とする移動体通信端末。
【請求項４】
着信音の鳴動を規制する状態に設定するマナーモード設定手段を備え、
前記マナーモード設定手段が着信音の鳴動を規制する状態に設定したときに、発信する情報は前記文字入力手段により入力され、前記文字入力手段から入力した前記文字情報を前記音声変換手段により音声情報に変換して前記送信手段により送信することを特徴とする請求項３記載の移動体通信端末。
【請求項５】
無線により少なくとも音声通話が可能な移動体通信端末において、
無線により送信されてきた音声情報を受信する受信手段と、
前記受信手段が受信した音声情報を文字情報に変換する音声認識手段と、
発信する情報を入力する文字入力手段と、
前記文字入力手段から入力した文字情報を音声情報に変換する音声変換手段と、
前記音声認識手段が変換した文字情報および前記文字入力手段から入力した文字情報を表示する表示面を有する表示手段と、
前記音声変換手段が変換した音声情報を無線により送信する送信手段と、を備えたことを特徴とする移動体通信端末。
【請求項６】
着信音の鳴動を規制する状態に設定するマナーモード設定手段を備え、
前記マナーモード設定手段が着信音の鳴動を規制する状態に設定したときに、前記受信手段が受信した音声情報は前記音声認識手段により文字情報に変換されて前記表示手段に表示され、発信する情報は前記文字入力手段により入力され、入力された文字情報は前記表示手段に表示されるとともに前記音声変換手段により音声情報に変換されて前記送信手段により送信されることを特徴とする請求項５記載の移動体通信端末。
【請求項７】
前記表示手段の表示面は、前記受信手段が受信し、前記音声認識手段により変換した文字情報を表示する第一の画面と、前記文字入力手段により入力した文字情報が表示される第二の画面とを備えたことを特徴とする請求項５または６記載の移動体通信端末。
【請求項８】
前記マナーモード設定手段が着信音の鳴動を規制する状態に設定されて、着信または発信するときに、前記表示手段の表示面を、前記第一の画面と、前記第二の画面に分割する画面分割手段を備えたこと特徴とする請求項７記載の移動体通信端末。
【発明の詳細な説明】
【技術分野】
【０００１】
本発明は、音声通信が可能な移動体通信端末に関する。
【背景技術】
【０００２】
従来、電車内や劇場、映画館などの公共施設内において、移動体通信端末としての携帯電話などは、特許文献１に記載たれたような着信音の鳴動を規制する状態（マナーモード）に設定していた。マナーモード設定時に着信した場合は、話し声が周囲の迷惑になるような状況が多いので、その場で音声通話は行わないことが多い。
【０００３】
従って、一旦公共施設外に出て通話するか、公共施設外に出られない場合は後で着信履歴を確認して掛け直すか、電子メールを送受信する機能を持った携帯電話ならば、電子メールを送信するなどとしていた。また、公共施設内から至急の要件で発信しなければならないような場合も、一旦公共施設外に出て通話するか、電子メールを送信するなどとしていた。
【特許文献１】特開平１０−１０８２５５号公報
【発明の開示】
【発明が解決しようとする課題】
【０００４】
マナーモード設定時に重要な要件や緊急の要件等どうしても通話しなければならないときで、しかも施設外に出られない場合は、上述したような後で掛け直したり、電子メールを送信するといった対応では、要件によっては時間的に間に合わないことがあり困ることがあった。
【０００５】
従って、本発明は、例えばマナーモードに設定していて音声通話ができない状況下でも発着信のうち少なくとも一方が可能となるような移動体通信端末を提供することを目的とする。
【課題を解決するための手段】
【０００６】
上記課題を解決するために、請求項１に記載の発明は、無線により少なくとも音声通話が可能な移動体通信端末において、無線により送信されてきた音声情報を受信する受信手段と、前記受信手段が受信した前記音声情報を文字情報に変換する音声認識手段と、前記音声認識手段が変換した前記文字情報を表示する表示手段と、を備えたことを特徴としている。
【０００７】
請求項３に記載の発明は、無線により少なくとも音声通話が可能な移動体通信端末において、発信する情報を入力する文字入力手段と、前記文字入力手段から入力した文字情報を音声情報に変換する音声変換手段と、前記音声情報を無線により送信する送信手段と、を備えたことを特徴としている。
【０００８】
請求項５に記載の発明は、無線により少なくとも音声通話が可能な移動体通信端末において、無線により送信されてきた音声情報を受信する受信手段と、前記受信手段が受信した音声情報を文字情報に変換する音声認識手段と、発信する情報を入力する文字入力手段と、前記文字入力手段から入力した文字情報を音声情報に変換する音声変換手段と、前記音声認識手段が変換した文字情報および前記文字入力手段から入力した文字情報を表示する表示面を有する表示手段と、前記音声変換手段が変換した音声情報を無線により送信する送信手段と、を備えたことを特徴としている。
【発明を実施するための最良の形態】
【０００９】
以下、本発明の一実施形態にかかる移動体通信端末を説明する。本発明の一実施形態にかかる移動体通信端末は、無線により送信されてきた音声情報を受信する受信手段と、前記受信手段が受信した前記音声情報を文字情報に変換する音声認識手段と、前記音声認識手段が変換した前記文字情報を表示する表示手段とを備える。このようにすることによって、着信した音声情報は音声認識手段により文字情報に変換して表示手段に表示されるので、音声通話ができない状況下でも着信は可能となる。
【００１０】
また、着信音の鳴動を規制する状態に設定するマナーモード設定手段を備え、前記マナーモード設定手段が着信音の鳴動を規制する状態に設定したときに、前記受信手段が受信した音声情報を前記音声認識手段が文字情報に変換して、前記表示手段に表示されるようにしているため、着信音の鳴動を規制したときでも音声情報の着信が可能となる。
【００１１】
また、本発明の別の一実施形態にかかる移動体通信端末は、発信する情報を入力する文字入力手段と、前記文字入力手段から入力した前記文字情報を音声情報に変換する音声変換手段と、前記音声情報を無線により送信する送信手段とを備える。このようにすることによって、発信する情報は、文字入力手段から入力し音声変換手段により音声情報に変換し発信されるので、音声通話ができない状況下でも音声情報による発信が可能となる。
【００１２】
また、着信音の鳴動を規制する状態に設定するマナーモード設定手段を備え、前記マナーモード設定手段が着信音の鳴動を規制する状態に設定したときに、発信する情報は前記文字入力手段により入力され、前記文字入力手段から入力した前記文字情報を前記音声変換手段により音声情報に変換して前記送信手段により送信するようにしているため、着信音の鳴動を規制したときでも入力した文字情報の内容を確認しながら発信が可能となる。
【００１３】
また、本発明の別の一実施形態にかかる移動体通信端末は、無線により送信されてきた音声情報を受信する受信手段と、前記受信手段が受信した音声情報を文字情報に変換する音声認識手段と、発信する情報を入力する文字入力手段と、前記文字入力手段から入力した前記文字情報を音声情報に変換する音声変換手段と、前記音声認識手段が変換した文字情報および前記文字入力手段から入力した文字情報を表示する表示面を有する表示手段と、前記音声変換手段が変換した音声情報を無線により送信する送信手段とを備える。このようにすることによって、着信した音声情報は音声認識手段により文字情報に変換され表示手段に表示され、発信する情報は、文字入力手段から入力し音声変換手段により音声情報に変換されるので、音声通話ができない状況下でも音声情報による発着信が可能となる。
【００１４】
また、着信音の鳴動を規制する状態に設定するマナーモード設定手段を備え、前記マナーモード設定手段が着信音の鳴動を規制する状態に設定したときに、前記受信手段が受信した音声情報は前記音声認識手段により文字情報に変換されて前記表示手段に表示され、発信する情報は前記文字入力手段により入力され、入力された文字情報は前記表示手段に表示されるとともに前記音声変換手段により音声情報に変換されて前記送信手段により送信されるようにしているため、着信音の鳴動を規制したときでも発着信が可能となる。
【００１５】
また、前記表示手段の表示面は、前記受信手段が受信し、前記音声認識手段により変換した文字情報を表示する第一の画面と、前記文字入力手段により入力した文字情報が表示される第二の画面とを備えるため、受信した内容を確認しながら送信する内容を入力することが可能となる。
【００１６】
また、前記マナーモード設定手段が着信音の鳴動を規制する状態に設定されているときに、着信または発信すると、前記表示手段の表示面を、前記第一の画面と、前記第二の画面に分割する画面分割手段を備えている。そのため、１つの表示手段で受信した内容を確認しながら送信する内容を入力することが可能となる。
【実施例１】
【００１７】
本発明の一実施例にかかる移動体通信端末としての携帯電話機１を図１〜図６を参照して説明する。携帯電話機１は、図１に示すようにアンテナ２と、無線送受信部３と、音声／データ処理部４と、スピーカ５と、マイク６と、制御部７と、リンガ８と、バイブレータ９と、表示部１０と、操作部１１とを備えている。
【００１８】
アンテナ２は、着信時は図示しない基地局からの電波を受信して電気信号に変換し無線送受信部３へ出力し、発信時は無線送受信部３から入力された電気信号を電波に変換して図示しない基地局へ送信する。
【００１９】
受信手段と送信手段の双方としての無線送受信部３は、フィルタ、増幅器、局部発振回路等からなり、着信時には、アンテナ２からの高周波信号を受信し、受信した高周波信号を中間周波数信号を経てベースバンド信号に復調し、アナログ／デジタル変換を行ってデジタルの受信データを生成し、これを音声／データ処理部４へ出力する。発信時には、音声／データ処理部４から入力されたデジタル送信データをデジタル／アナログ変換を行ってベースバンド信号にし、中間周波数信号を経て高周波信号に変調してアンテナ２へ出力する。
【００２０】
音声／データ処理部４は、着信時は、無線送受信部３から入力される受信データが音声データの場合は、伸長し復号処理した後、デジタルアナログ変換することにより音声情報としての音声信号を復元して、マナーモード非設定時にはスピーカ５へ出力し、マナーモード設定時には制御部７へ出力する。音声データ以外の電子メールなどの通信データは、復号処理することにより最終的な元の通信データを復元しこれを制御部７へ出力する。発信時は、マナーモード非設定時はマイク６から入力される音声情報としての音声信号をアナログデジタル変換し、圧縮符号化処理した音声データを無線送受信部３に出力する。マナーモード設定時は制御部７から入力される音声情報としての音声信号をアナログデジタル変換し、圧縮符号化処理した音声データを無線送受信部３に出力する。電子メールなどを送信する場合は、制御部７から入力された電子メールデータなどを符号化することにより通信データを生成し、これを無線送受信部３に出力する。
【００２１】
上述したように本実施例は、マナーモード非設定時に、音声／データ処理部４から音声信号をスピーカ５へ出力し、音声に変換されてユーザに情報が伝達される。また、マナーモード非設定時に、ユーザが音声によりマイク６から情報を入力し、音声信号に変換されて音声／データ処理部４に入力される。すなわち、特許請求の範囲に記載された音声情報は、マナーモード非設定時に音声／データ処理部４からスピーカ５へ出力される音声信号およびマイク６から音声／データ処理部４へ入力される音声信号が相当する。
【００２２】
また、マナーモード非設定時に音声／データ処理部４からスピーカ５に出力されていた音声信号はマナーモード設定時には制御部７へ出力され、マナーモード非設定時にマイク６から音声／データ処理部４に入力されていた音声信号はマナーモード設定時には制御部７から入力される。したがって、マナーモード設定時の音声情報は音声／データ処理部４から制御部７に出力される音声信号と、制御部７から音声／データ処理部４に入力される音声信号が相当する。
【００２３】
制御部７は、発信や着信、或いはマナーモードや文字入力などの各種モード設定時や操作部１１からの操作等に応じて携帯電話機１全体の制御を行う。これらの処理は制御プログラムにより行われ、制御部７には、制御プログラムを実行するためのＣＰＵ（Central Processing Unit）７ａと、制御プログラムおよびデータを格納するためのＲＯＭ（Read Only Memory）７ｂと、作業用データなどを一時保存するためのＲＡＭ（Random Access Memory）７ｃとを備えている。
【００２４】
リンガ８は、着信があった際にユーザに通知するための着信音を鳴動させる。
【００２５】
バイブレータ９は、モータなどにより構成され、携帯電話機１がマナーモードに設定されている際には、ユーザに対して携帯電話機１の筺体を振動させることによって着信を通知する。
【００２６】
表示手段としての表示部１０は、ＬＣＤ（Liquid Crystal Display）などにより構成される。表示部１０は、携帯電話機１の音声通話の着信と発信および携帯電話機１の設定など各状態に応じた情報を表示する表示面１２を備えている。表示部１０の表示面１２は、マナーモード設定時に発信または着信した場合は、制御部７で音声認識して変換された文字情報としての文字データが表示される第一の画面としての上画面１０ａと、操作部１１からの操作に対応し制御部７で生成した文字データを表示する第二の画面としての下画面１０ｂとの２画面に分割される。
【００２７】
文字入力手段としての操作部１１は、電源キーやマナーモード設定キー、マナーモード解除キー、発信キー、応答キー、終話キーおよび数字キーなどからなる複数のキーを備えており、これらのキーを操作することによって電源のＯＮ／ＯＦＦや、発信／応答、終話、携帯電話機１の各種設定やモードなどの切換えおよび電話番号の入力、発信する情報の文字による入力等を行うことができる。
【００２８】
すなわち、本実施例において制御部７が出力し表示部１０の上画面１０ａにおいて文字の表示が可能となる文字データおよび、操作部１１の操作に対応し制御部７で生成され音声変換が可能であると共に表示部１０の下画面１０ｂにおいて文字の表示が可能となる文字データが特許請求の範囲に記載された文字情報に相当する。
【００２９】
次に、このような構成からなる携帯電話機１において、マナーモード設定時に音声通話を行う際の動作を図２〜図６を参照して説明する。本実施例におけるマナーモード設定および発着信の制御は制御部７の制御プログラムをＣＰＵ７ａで実行することにより行われる。
【００３０】
まず、マナーモードに設定する際のＣＰＵ７ａの動作を、図２のフローチャートを参照して説明する。
【００３１】
ステップＳ１０１で、操作部１１のマナーモード設定キーを操作したか否か判断する。操作した場合（ＹＥＳの場合）はステップＳ１０２に進み、操作していない場合（ＮＯの場合）は再度ステップＳ１０１でマナーモード設定キーを操作したか否か判断する。
【００３２】
次に、マナーモード設定手段としてのステップＳ１０２で、携帯電話機１をマナーモードに設定し、ステップＳ１０３に進む。具体的には、着信してもリンガ８すなわち着信音の鳴動を規制する（鳴動させない）ように設定すると共に、制御部７から音声／データ処理部４に対して、受信した音声情報である音声信号をスピーカ５に出力せずに制御部７に出力するように指示し、発信する音声情報としてマイク６からの入力に代わり制御部７からの音声信号を受け付けるように指示を出す。そしてマナーモード設定中を示すフラグをセットし、その値は制御部７のＲＡＭ７ｃにおいて保持する。このようにして、マナーモード設定手段としてのステップＳ１０２で、ＣＰＵ７ａが着信音の鳴動を規制するように設定する。
【００３３】
次に、ステップＳ１０３で、操作部１１のマナーモード解除キーを操作したか否か判断する。操作した場合（ＹＥＳの場合）はステップＳ１０４に進み、操作していない場合（ＮＯの場合）は再度ステップＳ１０３でマナーモード解除キーを操作したか否か判断する。
【００３４】
次に、ステップＳ１０４で、携帯電話機１のマナーモードを解除し、ステップＳ１０１に戻る。具体的には、着信時にリンガ８を鳴動するように設定すると共に、音声／データ処理部４において受信した音声信号をスピーカ５に出力するように指示し、マイク６からの入力を受け付けるように指示を出す。そして、マナーモードに設定中を示すフラグをクリアする。
【００３５】
以上のステップを繰り返すことで本実施例におけるマナーモードの設定および解除を行っている。
【００３６】
図３および図４は、本実施例の携帯電話機１におけるＣＰＵ７ａの着信時の動作を示すフローチャートである。まず、ステップＳ１ａで相手話者からの着信の有無を判断している。相手話者からの着信は、着信を示す情報はアンテナ２で受信し無線送受信部３および音声／データ処理部４を経由して制御部７に入力される。着信が無い場合（ＮＯの場合）はそのまま終了し、着信がある場合（ＹＥＳの場合）はマナーモード非設定の場合は制御部７からリンガ８に動作指示を出し、マナーモード設定の場合は制御部７からバイブレータ９に動作指示を出した後ステップＳ２に進む。
【００３７】
次にステップＳ２でマナーモード通知フラグをクリアし、ステップＳ３ａに進む。マナーモード通知フラグとは携帯電話機１がマナーモード状態に設定されていることを相手話者に通知してあるかどうかを示すフラグであり、値は制御部７のＲＡＭ７ｃ内に保持されている。最初に着信した状態ではまだ相手話者に通知は行われていないためにこのステップでクリアしておく。
【００３８】
次に、ステップＳ３ａで、相手話者からの着信に応答したか否か判断する。相手話者の着信に応答とは、例えば操作部１１において応答するためのキーを操作する等の操作を指す。操作部１１において応答動作が行われ相手話者の着信に応答した場合（ＹＥＳの場合）は、マナーモード非設定時は制御部７からリンガ８に停止指示を出すと共にステップＳ４に進む。マナーモード設定時は制御部７からバイブレータ９に停止指示を出すと共にステップＳ４に進む。応答しない場合（ＮＯの場合）はステップＳ１７に進む。
【００３９】
次に、ステップＳ４で、マナーモードに設定中か否かを判断する。マナーモード設定中を示すフラグをＣＰＵ７ａがＲＡＭ７ｃから読み出し、マナーモードに設定中の場合（ＹＥＳの場合）はステップＳ５に進み、マナーモードに設定していない場合（ＮＯの場合）は、ステップＳ１７に進む。
【００４０】
次に、ステップＳ５においてマナーモード通知フラグの値を確認する。マナーモード通知フラグをＲＡＭ７ｃから読み出し、クリアされている場合はステップＳ６に進み、セットされている場合はステップＳ８に進む。
【００４１】
次にステップＳ６において、相手話者へ携帯電話機１がマナーモードに設定されていることを通知しステップＳ７に進む。通知内容は例えば、「現在マナーモード中です。こちらからの会話は合成音声でお伝えします。では、どうぞ」等のような合成音声データを予めＲＯＭ７ｂに記録しておき、ＣＰＵ７ａが読み出して音声／データ処理部４、無線送受信部３、アンテナ２を経由して発信し相手話者に通知する。
【００４２】
次に、ステップＳ７において、マナーモード通知フラグをセットしステップＳ８に進む。
【００４３】
次に、画面分割手段としてのステップＳ８において、制御部７から表示部１０に対して表示面１２を、相手話者の会話が表示される第一の画面としての上画面１０ａと、発信する情報を表示する第二の画面としての下画面１０ｂの２つに分割を行うよう指示を出しステップＳ９に進む。すなわち、画面分割手段としてのステップＳ８で、着信音の鳴動を規制する状態時に表示手段の表示面を第一の画面と第二の画面に分割する。
【００４４】
次にステップＳ９において、相手話者の音声が着信したか否か判断する。具体的には、音声／データ処理部４から音声情報としての音声信号が制御部７に入力され制御部７において検出できたか否かである。検出できた場合（ＹＥＳの場合）はステップＳ１０に進み、検出できない場合（ＮＯの場合）はステップＳ１４に進む。
【００４５】
次にステップＳ１０において、相手話者の音声認識、すなわち制御部７に入力された音声情報としての音声信号の認識処理を行い、ステップＳ１１に進む。
【００４６】
次にステップＳ１１において、相手話者の音声認識が成功したか否か判断する。成功した場合（ＹＥＳの場合）はステップＳ１２に進み、失敗した場合（ＮＯの場合）はステップＳ１４に進む。
【００４７】
次に、音声認識手段としてのステップＳ１２において、認識した音声信号を表示部１０で文字表示が可能な、文字情報としての文字データに文字変換処理を行ってステップＳ１３に進む。すなわち、この音声認識手段としてのステップで音声情報を文字情報に変換している。
【００４８】
そしてステップＳ１３で、ステップＳ１２において変換した文字データを制御部７から表示部１０に出力しステップＳ１４に進む。表示部１０ではステップＳ８で分割した上画面１０ａに表示する。すなわち、このステップで音声情報から変換された文字情報を表示手段に表示している。
【００４９】
次に、ステップＳ１４において、操作部１１のキーを用いて発信する情報を入力する。操作部１１からのキー入力信号に対応して、制御部７において音声変換が可能であると共に表示部１０に文字表示可能な文字情報としての文字データが生成される。そして、制御部７から表示部１０に出力してステップＳ８で分割した下画面１０ｂに表示し、ステップＳ１５に進む。すなわち、このステップで文字入力手段から入力した文字情報を表示手段に表示している。
【００５０】
音声変換手段としてのステップＳ１５で、ステップＳ１４で制御部７で生成した文字データを、音声情報としての音声信号に変換する。変換する音声は合成音声により生成される。すなわち、この文字変換手段としてのステップでＣＰＵ７ａにより文字情報が音声情報に変換される。
【００５１】
そして、ステップＳ１６に進み、制御部７で変換した音声情報としての音声信号を、音声／データ処理部４へ出力しステップＳ１７に進む。音声／データ処理部４へ出力した音声情報としての音声信号は、無線送受信部３、アンテナ２を経由して相手話者へ送信される。
【００５２】
ステップＳ１７では音声通話が終了したか否かを判断する。例えば操作部１１の終話キーが操作されて音声通話が終了した場合や、ステップＳ３ａで相手話者からの着信に応答せずに相手話者が通信を切断した場合や、マナーモード非設定時に通常の音声による通話が終了して操作部１１の終話キーが操作された場合（ＹＥＳの場合）は、着信動作を終了し、終了していない場合（ＮＯの場合）はステップＳ３ａに戻る。
【００５３】
次に発信時のＣＰＵ７ａ動作を図５および図６に示すフローチャートを基に説明する。発信動作は、着信時に相手話者から着信ありか否かを判断するステップ（ステップＳ１ａ）が、相手話者に発信するステップ（ステップＳ１ｂ）に代わることおよび、着信時に相手話者の着信に応答するか否かを判断するステップ（ステップＳ３ａ）が、相手話者が応答したか否かを判断するステップ（ステップＳ３ｂ）に代わるのみで他のステップは受信時と同一である。
【００５４】
まず、ステップＳ１ｂにおいて相手話者に発信する。発信は操作部１１のキーを操作して相手話者の電話番号を入力し、発信キーを操作すると、制御部７から音声／データ処理部４、無線送受信部３を経由しアンテナ２から電波で電話網を通じて相手話者を呼び出す。
【００５５】
次に、ステップＳ２で、マナーモード通知フラグをクリアし、ステップＳ３ｂに進む。このステップは着信時と同様である。
【００５６】
次にステップＳ３ｂにおいて、相手話者が応答したか否かの判断をする。相手話者が応答すると、回線が接続されたことを示す情報がアンテナ２から無線送受信部３、音声／データ処理部４を経由して制御部７に通知される。相手話者が応答した場合（ＹＥＳの場合）ステップＳ４に進み、相手話者が応答しない場合（ＮＯの場合）はステップＳ１７に進む。ステップＳ４以降は着信時と同一である。
【００５７】
本実施例によれば、マナーモード設定時に、着信した音声信号は制御部７において音声認識され文字データに変換後、表示部１０の上画面１０ａに表示する。発信する情報は操作部１１から入力され、制御部７において文字データに変換後、表示部１０の下画面１０ｂに表示されると共に、制御部７において合成音声に変換されて相手話者へ送信される。このようにすることにより、マナーモード設定中においても周りに迷惑を掛けずに音声通話が行えるので、緊急の要件や重要な用件がかかって来てもすぐに対応することができる。さらに至急の要件を相手に通知したいときに電子メール等と違いリアルタイムかつ確実に相手に通知できる。
【００５８】
なお、本実施例では相手話者に発信する情報は、文字で入力し合成音声に変換して発信していたが、合成音声に変換せずに電子メールとして相手話者に送信してもよい。
【００５９】
また、本実施例で合成音声に変換する文字は、英数字、平仮名、片仮名、漢字などの文字以外に、記号や絵文字なども変換できるようにしても良い。この場合は、例えば記号や絵文字などを合成音声に変換する際の読みを登録するなどの方法で変換可能となる。
【００６０】
また、音声認識と文字変換部分や文字データを合成音声に変換する部分を変更することで日本語だけでなく英語など様々な言語に対応させることもできる。
【００６１】
また、本実施例ではキーにより文字等を入力したが、ペン入力などを用いてもよい。
【００６２】
また、本実施例では、着信した音声信号を文字データに変換し表示する機能と、発信する情報を文字で入力して音声信号に変換して発信する機能の両方を備えた携帯電話機について説明したが、着信した音声信号を文字データに変換し表示する機能または、発信する情報を文字で入力して音声信号に変換して発信する機能のどちらか一方のみを備えてもよい。
【００６３】
また、実施例では携帯電話機について説明したが、本発明は携帯電話機に限らず自動車電話やＰＤＡ（Personal Digital Assistance）など無線により少なくとも音声通話機能を持つか付加できる機器に適用可能である。
【００６４】
前述した実施例によれば、以下の携帯電話機１が得られる。
【００６５】
（付記１）無線により少なくとも音声通話が可能な携帯電話機１において、無線により送信されてきた音声信号を受信する無線送受信部３と、前記無線送受信部３が受信した前記音声信号を文字データに変換する制御部７と、前記制御部７が変換した前記文字データを表示する表示部１０と、を備えたことを特徴とする携帯電話機１。
【００６６】
この携帯電話機１によれば、着信した音声信号は制御部７により文字データに変換して表示部１０に表示されるので、音声通話ができない状況下でも音声による着信は可能となる。
【００６７】
（付記２）無線により少なくとも音声通話が可能な携帯電話機１において、発信する情報を入力する操作部１１と、前記操作部１１から入力した文字データを音声信号に変換する制御部７と、前記音声信号を無線により送信する無線送受信部３と、を備えたことを特徴とする携帯電話機１。
【００６８】
この携帯電話機１によれば、発信する情報は、操作部１１から入力し制御部７により音声信号に変換されるので、音声通話ができない状況下でも音声信号による発信が可能となる。
【００６９】
（付記３）無線により少なくとも音声通話が可能な携帯電話機１において、無線により送信されてきた音声信号を受信する無線送受信部３と、前記無線送受信部３が受信した音声信号を文字データに変換する制御部７と、発信する情報を入力する操作部１１と、前記操作部１１から入力した文字データを音声信号に変換する制御部７と、前記制御部７が変換した文字データおよび前記操作部１１から入力した文字データを表示する表示面１２を有する表示部１０と、前記制御部７が変換した音声信号を無線により送信する無線送受信部３と、を備えたことを特徴とする携帯電話機１。
【００７０】
この携帯電話機１によれば、着信した音声信号は制御部７により文字データに変換して表示部１０の表示面１２に表示され、発信する情報は、操作部１１から入力し制御部７により音声信号に変換されるので、音声通話ができない状況下でも音声信号による発着信が可能となる。
【００７１】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００７２】
【図１】本発明の一実施例にかかる移動体通信端末として携帯電話機のブロック図である。
【図２】図１で示された携帯電話機のマナーモード設定の動作を示したフローチャートである。
【図３】図１で示された携帯電話機の着信時の動作を示したフローチャートの一の部分である。
【図４】図１で示された携帯電話機の着信時の動作を示したフローチャートの他の部分である。
【図５】図１に示された携帯電話機の発信時の動作を示したフローチャートの一の部分である。
【図６】図１に示された携帯電話機の発信時の動作を示したフローチャートの他の部分である。
【符号の説明】
【００７３】
１        携帯電話機（移動体通信端末）
３        無線送受信部（受信手段、発信手段）
７        制御部（音声認識手段、音声変換手段、マナーモード設定手段、画面分割手段）
１０      表示部（表示手段）
１０ａ    上画面（第一の画面）
１０ｂ    下画面（第二の画面）
１１      操作部（文字入力手段）
１２      表示面
Ｓ１０２  マナーモード設定（マナーモード設定手段）
Ｓ８      画面分割処理（画面分割手段）
Ｓ１２    認識音声の文字変換処理（音声認識手段）
Ｓ１５    音声変換処理（音声変換手段）
【図１】
2008244508.tif 000003
【図２】
2008244508.tif 000004
【図３】
2008244508.tif 000005
【図４】
2008244508.tif 000006
【図５】
2008244508.tif 000007
【図６】
2008244508.tif 000008